(57)【要約】【課題】  視認する角度による色ずれを抑制できる発光装置を提供する。【解決手段】  発光装置１００は、第１の光を発光する発光素子２０と、発光素子２０の発光面上に設けられ、第１の光によって励起されて第１の光より長波長の第２の光を発光する蛍光体を含有する蛍光体層３０と、蛍光体層３０上に設けられ、第１の光を反射し、第２の光を透過する反射膜４０と、反射膜４０上に設けられる透光性部材５０と、を有し、透光性部材５０は発光素子２０の発光面と対向する第１面と、発光素子２０側に湾曲し第１面と繋がる第２面と、を備える。【選択図】図１
2018107417.tif 000002
【特許請求の範囲】
【請求項１】
第１の光を発光する発光素子と、
前記発光素子の発光面上に設けられ、前記第１の光によって励起されて前記第１の光より長波長の第２の光を発光する蛍光体を含有する蛍光体層と、
前記蛍光体層上に設けられ、前記第１の光を反射し、前記第２の光を透過する反射膜と、
前記反射膜上に設けられる透光性部材と、を有し、
前記透光性部材は前記発光素子の発光面と対向する第１面と、前記発光素子側に湾曲し前記第１面と繋がる第２面と、を備える発光装置。
【請求項２】
第１の光を発光する発光素子と、
前記発光素子の発光面上に設けられ、前記第１の光によって励起されて前記第１の光より長波長の第２の光を発光する蛍光体を含有する蛍光体層と、
前記蛍光体層上に設けられる透光性部材と、
前記透光性部材上に設けられ、前記第１の光を反射し、前記第２の光を透過する反射膜と、を有し、
前記透光性部材は前記発光素子の発光面と対向する第１面と、前記発光素子側に湾曲し前記第１面と繋がる第２面と、を備える発光装置。
【請求項３】
前記蛍光体層及び前記反射膜は、前記透光性部材の第１面及び第２面と平行な部分を有している請求項１又は２に記載の発光装置。
【請求項４】
平面状態において、前記反射膜は、入射角０°から第１角度までの反射率が９５％以上であり、
入射角が第１角度から第２角度までの反射率が２０％以上７０％以下である請求項１乃至３のいずれ一項に記載の発光装置。
【請求項５】
平面状態において、前記反射膜は、入射角が第２角度から第３角度までの反射率が２０％以下である部分を更に備える請求項１乃至４のいずれ一項に記載の発光装置。
【請求項６】
前記発光素子は第１半導体層、活性層、第２半導体層の順に積層され、
前記発光素子の平面視において前記活性層の中心を基準として、断面視における前記発光素子と前記反射膜の第２面とは入射角度が０°から第１角度までの範囲内にある請求項１乃至５のいずれ一項に記載の発光装置。
【請求項７】
前記発光素子の前記発光面と前記第１面に相当する前記反射膜とは平行である請求項１乃至６のいずれ一項に記載の発光装置。
【請求項８】
前記発光素子は３５５ｎｍ以上４５５ｎｍ未満に発光ピーク波長を持つ請求項１乃至７のいずれ一項に記載の発光装置。
【請求項９】
前記発光素子は４５５ｎｍ以上４８５ｎｍ以下に発光ピーク波長を持つ請求項１乃至７のいずれ一項に記載の発光装置。
【請求項１０】
前記第１面に相当する前記反射膜は、前記発光素子の前記発光面の全体を覆っている請求項１乃至９のいずれ一項に記載の発光装置。
【請求項１１】
前記透光性部材は、前記第１面が平坦である、カップ形状を成している請求項１乃至１０のいずれ一項に記載の発光装置。
【請求項１２】
前記発光装置の発光スペクトルにおいて、前記第１の光の発光ピーク強度は、前記第２の光の発光ピーク強度の１／１０以下である請求項１乃至１１のいずれ一項に記載の発光装置。
【請求項１３】
前記発光装置の発光スペクトルにおいて、前記第１の光の発光ピーク強度は、前記第２の光の発光ピーク強度の１／３０以上である請求項１乃至１２のいずれ一項に記載の発光装置。
【請求項１４】
前記透光性部材の側面が樹脂によって覆われている請求項１乃至１３のいずれ一項に記載の発光装置。
【請求項１５】
前記反射膜は、誘電体多層膜である請求項１乃至１４のいずれ一項に記載の発光装置。
【請求項１６】
前記蛍光体層は複数積層されており、前記発光素子に近い側にＣａＡｌＳｉＮ３：Ｅｕ蛍光体層、遠い側に（Ｓｒ，Ｃａ）ＡｌＳｉＮ３：Ｅｕ蛍光体層を配置している請求項１乃至１５のいずれ一項に記載の発光装置。
【請求項１７】
発光装置の製造方法であって、
第１面と、湾曲し第１面と繋がる第２面と、を内面に備えるカップ形状の透光性部材を準備する工程と、
前記透光性部材の前記カップ形状の内面に、異なる屈折率を有する誘電体層を交互に含む誘電体多層膜である反射層を形成する工程と、
前記反射層上に、蛍光体層を形成する工程と、
発光素子の発光面が、前記透光性部材の前記カップ形状の内面である第１面と対向するように、前記蛍光体層を前記発光素子上に配置する工程と、
を含む発光装置の製造方法。
【請求項１８】
発光装置の製造方法であって、
第１面と、湾曲し第１面と繋がる第２面と、を内面に備えるカップ形状の透光性部材を準備する工程と、
前記透光性部材の前記カップ形状の外面に、異なる屈折率を有する誘電体層を交互に含む誘電体多層膜である反射層を形成する工程と、
前記透光性部材の前記カップ形状の内面に、蛍光体層を形成する工程と、
発光素子の発光面が、前記透光性部材の前記カップ形状の内面である第１面と対向するように、前記透光性部材を前記発光素子上に配置する工程と、
を含む発光装置の製造方法。
【発明の詳細な説明】
【技術分野】
【０００１】
本発明は、発光装置に関する。
【背景技術】
【０００２】
発光ダイオード（Light emitting diode：LED）を使用した発光装置は、ディスプレイ、警告灯、表示灯、照明灯として広く使用されている。
例えば、青色に発光する青色発光ダイオードと、青色発光ダイオードからの光を赤色に変換する蛍光体と、によって赤色に発光する自動車のテールランプ及びブレーキランプを形成する照明が知られている（例えば、特許文献１，２参照）。
【先行技術文献】
【特許文献】
【０００３】
【特許文献１】特開２０１５−８８２２０号公報
【特許文献２】特開２０１５−８８４８３号公報
【発明の概要】
【発明が解決しようとする課題】
【０００４】
しかしながら、特許文献１及び２に開示された発光装置は、発光装置を視認する角度によっては赤色光の色ずれを生じるおそれがある。
【０００５】
そこで、本実施形態に係る発光装置は、視認する角度による色ずれを抑制できる発光装置を提供することを目的とする。
【課題を解決するための手段】
【０００６】
本実施形態に係る発光装置は、第１の光を発光する発光素子と、前記発光素子の発光面上に設けられ、前記第１の光によって励起されて前記第１の光より長波長の第２の光を発光する蛍光体を含有する蛍光体層と、前記蛍光体層上に設けられ、前記第１の光を反射し、前記第２の光を透過する反射膜と、前記反射膜上に設けられる透光性部材と、を有し、前記透光性部材は前記発光素子の発光面と対向する第１面と、前記発光素子側に湾曲し前記第１面と繋がる第２面と、を備える。
【０００７】
また、別の観点における本実施形態に係る発光装置は、第１の光を発光する発光素子と、前記発光素子の発光面上に設けられ、前記第１の光によって励起されて前記第１の光より長波長の第２の光を発光する蛍光体を含有する蛍光体層と、前記蛍光体層上に設けられる透光性部材と、前記透光性部材上に設けられ、前記第１の光を反射し、前記第２の光を透過する反射膜と、を有し、前記透光性部材は前記発光素子の発光面と対向する第１面と、前記発光素子側に湾曲し前記第１面と繋がる第２面と、を備える。
【０００８】
本実施形態に係る発光装置の製造方法であって、第１面と、湾曲し第１面と繋がる第２面と、を内面に備えるカップ形状の透光性部材を準備する工程と、前記透光性部材の前記カップ形状の内面に、異なる屈折率を有する誘電体層を交互に含む誘電体多層膜である反射層を形成する工程と、前記反射層上に、蛍光体層を形成する工程と、発光素子の発光面が、前記透光性部材の前記カップ形状の内面である第１面と対向するように、前記蛍光体層を前記発光素子上に配置する工程と、を含む。
【０００９】
別の観点における本実施形態に係る発光装置の製造方法であって、第１面と、湾曲し第１面と繋がる第２面と、を内面に備えるカップ形状の透光性部材を準備する工程と、前記透光性部材の前記カップ形状の外面に、異なる屈折率を有する誘電体層を交互に含む誘電体多層膜である反射層を形成する工程と、前記透光性部材の前記カップ形状の内面に、蛍光体層を形成する工程と、発光素子の発光面が、前記透光性部材の前記カップ形状の内面である第１面と対向するように、前記透光性部材を前記発光素子上に配置する工程と、を含む。
【発明の効果】
【００１０】
これにより視認する角度による色ずれを抑制できる発光装置を提供することができる。
【図面の簡単な説明】
【００１１】
【図１】実施形態１に係る発光装置の一例を示す概略断面図である。
【図２】実施形態１に係る発光装置が発する光の色度座標（ＣＩＥ１９３１）を示す色度図である。
【図３】実施形態１に係る発光装置における、光が垂直入射（入射角０°）した場合の、反射膜の波長に対する反射率を示す図である。
【図４】反射膜に対する発光素子が発する第１の光の入射角における反射率を示す図である。
【図５】反射膜に対する発光素子が発する第１の光の入射角における反射率を示す図である。
【図６】実施形態２に係る発光装置の一例を示す概略断面図である。
【図７】実施形態３に係る発光装置の一例を示す概略断面図である。
【図８】（Ｓｒ，Ｃａ）ＡｌＳｉＮ３：Ｅｕ蛍光体と、ＣａＡｌＳｉＮ３：Ｅｕ蛍光体の粉体反射率を示すスペクトル図である。
【発明を実施するための形態】
【００１２】
以下、実施形態に係る発光装置を説明する。但し、本発明は、この実施の形態に限定されない。以下に示す実施の形態は、本発明の技術思想を具体化するための発光装置を例示するものであって、本発明は発光装置を以下のものに特定されない。
色名と色度座標との関係、光の波長範囲と単色光の色名との関係等は、ＪＩＳ  Ｚ８１１０に従う。具体的には、３８０ｎｍ〜４１０ｎｍが紫色、４１０ｎｍ〜４５５ｎｍが青紫色、４５５ｎｍ〜４８５ｎｍが青色、４８５ｎｍ〜４９５ｎｍが青緑色、４９５ｎｍ〜５４８ｎｍが緑色、５４８ｎｍ〜５７３ｎｍが黄緑色、５７３ｎｍ〜５８４ｎｍが黄色、５８４ｎｍ〜６１０ｎｍが黄赤色、６１０ｎｍ〜７８０ｎｍが赤色である。
【００１３】
また、実施形態１に係る発光装置及びその製造方法において、「上」、「下」、「左」及び「右」などは、状況に応じて入れ替わるものである。本明細書において、「上」、「下」などは、説明のために参照する図面において構成要素間の相対的な位置を示すものであって、特に断らない限り絶対的な位置を示すことを意図したものではない。
本明細書において、発光素子「上」や蛍光体層「上」、反射膜「上」などにおける「上」は接触している形態に限定されず、接触せずに間に他の部材が配置される形態であってもよい。例えば、「発光素子２０の発光面上に配置され」のように「Ａ部材上に配置され」というときには、Ａ部材に接して設けられている場合と、Ａ部材の上に他の層を介して設けられている場合とを含む。
本明細書において「〜」を用いて示された数値範囲は、「〜」の前後に記載される数値をそれぞれ最小値及び最大値として含む範囲を示す。さらに組成物中の各成分の含有量は、組成物中に各成分に該当する物質が複数存在する場合、特に断らない限り、組成物中に存在する当該複数の物質の合計量を意味する。
【００１４】
＜実施形態１＞
以下、本実施形態に係る発光装置について図面を用いて説明する。図１は、実施形態１に係る発光装置の一例を示す概略断面図である。図２は、実施形態１に係る発光装置が発する光の色度座標（ＣＩＥ１９３１）を示す色度図である。反射膜に対する第１の光の入射角Ａは図１に示す入射角Ａを指す。特に断りのない限り、発光素子の平面視において活性層の中心を基準とする。この活性層の中心からの第１の光が出射されると仮定し、入射角Ａを規定している。
【００１５】
発光装置１００は、基台１０と、基台１０に配置される発光素子２０と、発光素子２０上に配置される蛍光体層３０と、蛍光体層３０上に設けられる反射膜４０と、反射膜４０上に設けられた透光性部材５０を備える。基台１０は、第１リード１１、第２リード１２、第１リード１１と第２リード１２との間に配置される固定部１３、及び、第１リード１１と第２リード１２上に設けられる側壁１４を有している。基台１０は凹部１５が形成されており、凹部１５の内底面１６は第１リード１１と第２リード１２と固定部１３が配置され、凹部１５の内側面１７は側壁１４が配置されている。基台１０の凹部１５の内底面１６上に発光素子２０が配置され、透光性部材５０と接するように基台１０の凹部１５内に樹脂７０が配置されている。樹脂７０には反射部材が含有されている。発光素子２０は金や半田などの金属やエポキシ樹脂、シリコーン樹脂などの樹脂等のダイボンド材を用いて凹部１５の内底面１６上に配置してもよい。基台１０の凹部１５の内底面１６を基準として、基台１０の凹部１５の最上面は、透光性部材５０の表面よりも高い位置にあることが好ましい。これにより他の部材の引っかけによる透光性部材５０の脱落を防止することができる。発光素子２０は上面側に発光面２３を備える。透光性部材５０は発光素子２０の発光面２３と対向する第１面と、発光素子２０側に湾曲し第１面と繋がる第２面と、を備える。蛍光体層３０及び反射膜４０は、透光性部材５０の第１面及び第２面と平行な部分を有していることが好ましい。また、蛍光体層３０と、透光性部材５０と、反射膜４０とは、相似形であることが好ましい。ここでの相似形とは、平坦面と湾曲面を持つという程度の意味であり、同一比率、縮尺等の厳密な相似形とは異なる。
【００１６】
透光性部材５０の第１面に相当する反射膜４０は、発光素子２０の発光面２３の全体を覆っていることが好ましい。発光素子２０からの光の大部分を反射膜４０により反射させることができるからである。ここで透光性部材５０の第１面に相当する反射膜４０とは透光性部材５０の第１面に配置される反射膜４０という意味である。また、第１面に相当する反射膜４０が発光素子２０の発光面の２３の全体を覆っているとは蛍光体層３０を介して覆うという意味である。
透光性部材５０は、第１面が平坦である、カップ形状を成していることが好ましい。ただし１対の面が湾曲し、他の一対の面が湾曲していないトンネル状とすることもできる。
【００１７】
発光素子２０は、３５５ｎｍ以上４８５ｎｍ以下に発光ピーク波長を持つ第１の光を発光する。反射膜４０の特性に応じて、発光素子２０は３５５ｎｍ以上４５５ｎｍ未満に発光ピーク波長を持つ第１の光を発光するものや、４５５ｎｍ以上４８５ｎｍ以下に発光ピーク波長を持つ第１の光を発光するものを使用することができる。透光性部材５０、反射膜４０を所定の形状とすることで、３５５ｎｍ以上４８５ｎｍ以下に発光ピーク波長を持つ第１の光を発する発光素子２０を使用しても、発光素子２０からの光の大部分を反射膜４０により反射させることができ、発光装置１００として発光効率を高めることができる。
発光素子２０は、半導体積層体２１と基板２２とを備える。半導体積層体２１は第１半導体層２１ａ、活性層２１ｂ、第２半導体層２１ｃの順に積層されている。発光素子２０は基板２２側若しくは半導体積層体２１側のいずれかに発光面を持つ。ここではフェイスダウン実装しているため、基板２２側が発光面となる。
【００１８】
蛍光体層３０は、第１の光によって励起されて第１の光より長波長の第２の光を発光する蛍光体を含有する。蛍光体層３０は、蛍光体のみから形成されていてもよく、蛍光体を樹脂などの有機物やセラミックスなどの無機物により固形化されていてもよい。蛍光体層３０は、蛍光体の粒子が焼き固められたものである場合、耐熱性に優れる。蛍光体の粒子がエポキシ樹脂やシリコーン樹脂などに分散されたものである場合、簡易に蛍光体層３０を形成することができる。また、蛍光体の粒子とセラミックスの粒子とを焼き固めたものも耐熱性に優れる。これらは使用目的や用途に応じて適宜選択する。
蛍光体層３０に含有される蛍光体は、５５０ｎｍ以上７８０ｎｍ以下に発光ピーク波長を持つことが好ましく、５８４ｎｍ以上６８０ｎｍ以下に発光ピーク波長を持つことがより好ましい。この範囲に発光ピーク波長を持つことにより発光輝度を高くすることができるからである。また、赤色発光を視認し易いからである。
【００１９】
反射膜４０は、透光性部材５０に直接若しくは間接的に設けることが好ましい。反射膜４０は、透光性部材５０の形状に依存して形成されることが好ましい。つまり、透光性部材５０がカップ状を成している場合はカップの内面に直接、反射膜４０を設けることが好ましい。
反射膜４０は、第１の光を反射し、かつ第２の光を透過する性質を有する。反射膜４０の反射スペクトルにおいて、平面状態において、反射膜４０は、反射膜４０に対する第１の光の入射角Ａが０°から第１角度までの反射率が９５％以上であり、入射角が第１角度から第２角度までの反射率が２０％以上７０％以下であるものを使用することができる。さらに、平面状態において、反射膜４０は、入射角Ａが第２角度から第３角度までの反射率が２０％以下である部分を更に備えていてもよい。平面状態の反射膜を使用した場合、入射角が所定の角度以上になると反射率が大幅に低減し、反射膜を透過する光が多くなる。反射膜を透過する光が多くなると、蛍光体層３０に戻ってくる戻り光が少なくなり、結果として発光装置１００から放出される第２の光の光量が低減する。それに対し、発光素子２０に対して入射角が０°から第１角度までの範囲になるように、透光性部材５０及び反射膜４０をカップ状等とすることにより、反射膜４０を透過する光が大幅に減り、蛍光体層３０に戻ってくる戻り光が多くなり、結果として発光装置１００から放出される第２の光の光量が増加する。
【００２０】
発光素子２０の発光面２３と第１面に相当する反射膜４０とは平行であることが好ましい。これにより入射角Ａを０°乃至第１角度までとし、第１の光の反射効率を高めることができるからである。
これにより、第１の光と反射膜４０との入射角Ａを０°から第１角度までの範囲となるよう透光性部材５０及び反射膜４０を形成することで、反射膜４０を透過する第１の光の透過を抑えることができ、視認する角度による色ずれを抑制できる発光装置１００を提供できる。
【００２１】
透光性部材５０は主に第２の光を透過する。透光性部材５０はセラミックスやガラスなどの無機物や樹脂などの有機物を用いることができる。透光性部材５０は発光素子２０の発光面２３と対向する第１面と、発光素子側に湾曲し第１面と繋がる第２面と、を備える。透光性部材５０は平坦な第１面を持つ、カップ形状とすることが好ましい。第２面は発光素子２０の側面と平行であることが好ましい。また１の対向する面が湾曲し、他の対向する面は湾曲していない、トンネル状にしてもよい。例えば、透光性部材５０平板状のものを使用し、反射膜４０や蛍光体層３０を設けた後、一部を湾曲させることで形成することができる。
【００２２】
発光素子２０上に配置される蛍光体層３０は接着剤層６０を介して配置してもよい。接着剤層６０は透光性であることが好ましい。接着剤層６０を用いることで簡易に発光素子２０に蛍光体層３０を配置することができる。また、発光素子２０上に配置される蛍光体層３０を、接着剤を介さずに直接接合してもよい。発光素子２０と蛍光体層３０とを直接接合することにより蛍光体層３０で発生した熱を、発光素子２０を介して放熱することができる。さらに、発光素子２０上に配置される蛍光体層３０を、接着剤を介さず、かつ、離間して配置してもよい。発光素子２０からの熱が直接蛍光体層３０に伝わらないため、蛍光体層３０の部分劣化を抑えることができる。接着剤層６０は光拡散材等を含有させてもよい。光拡散材を含有させることにより、光拡散と共に発光素子からの熱を透光性部材等を伝って効率良く放熱することができる。
反射膜４０は単独で用いることができるが、印刷や塗布などで透光性部材５０に反射膜４０を形成することが好ましい。透光性部材５０に強度の高い部材を用いることで反射膜４０を簡易に設けることができる。また、印刷や塗布などで蛍光体層３０に反射膜４０を形成することもできる。
【００２３】
凹部１５の内底面１６上に配置される樹脂７０は、透光性部材５０の上面を除いて、透光性部材５０の側面に配置してもよい。ここで透光性部材５０の上面は平面視における第１面に相当する部分である。また、透光性部材５０の側面は平面視における第１面以外の部分、例えば第２面に相当する部分の外面である。
樹脂７０には、酸化ジルコニウム、酸化イットリウム、酸化アルミニウム、水酸化アルミニウム、炭酸バリウム、硫酸バリウム、酸化マグネシウム及び炭酸マグネシウムからなる群から選択される光拡散材を少なくとも一種は含まれることが好ましい。これにより発光素子２０からの第１の光が、光拡散材が含有された樹脂７０に照射され蛍光体層３０側に戻すことができ、蛍光体層３０からの第２の光の発光効率を高めることができる。また、樹脂７０には、酸化チタンを含有してもよい。酸化チタンは４２０ｎｍよりも短波長側の光は反射せず吸収されてしまうが、４２０ｎｍよりも長波長側の光は効率良く反射するため、４２０ｎｍ〜４３０ｎｍに発光ピーク波長を持つ発光素子２０を使用する場合は、樹脂７０に酸化チタンを含有させることもできる。
これにより、発光装置１００が発する光は蛍光体層３０が発する第２の光の発光スペクトルと実質的に等しい発光スペクトルを有する光が出射される。
【００２４】
発光素子２０は、同一面側に正負一対の電極を有しており、フェイスダウン実装され、発光素子２０と第１リード１１及び第２リード１２は導電性接合部材により電気的に接続されている。なお、フェイスダウン実装に代えて、フェイスアップ実装することもできる。フェイスアップ実装の場合は、導電性接合部材に代えて、ワイヤを用いて第１リード１１、第２リード１２と接続させてもよい。
【００２５】
反射膜４０は、蛍光体層３０上に設けられ、発光素子２０が発光する第１の光を反射し、蛍光体層３０が発光する第２の光を透過する。反射膜４０は、例えば、互いに屈折率が異なる第１誘電体層４１と第２誘電体層４２とが交互に積層された誘電体多層膜により構成することができる。誘電体多層膜は、第１誘電体層４１の第１屈折率及び第２誘電体層４２の第２屈折率に基づいて第１誘電体層４１の膜厚及び第２誘電体層４２の膜厚を設定することにより、発光素子２０が発光する第１の光を反射し、蛍光体層３０が発光する第２の光を透過するように構成することができる。
【００２６】
また、発光装置１００は、透光性部材５０の側面を樹脂７０によって覆われているので、上方に第２の光を放出することができる。また、透光性部材５０の側面において反射膜４０を透過した第１の光は樹脂７０によって反射させることができる。また、蛍光体層３０が発光する第２の光は反射膜４０を介して出射されるが、発光素子２０が発光する第１の光は反射膜４０によって反射されて蛍光体層３０側に戻され、蛍光体を励起することができ、発光効率を高くできる。これにより、発光装置１００から外部へ放出される第１の光の放出が抑制され、発光装置１００から外部に放出される光を実質的に蛍光体層３０の第２の光のみとすることができ、半導体積層体２１に対して垂直方向や斜め方向の色ずれを防止することができる。
【００２７】
発光装置１００において、反射膜４０として誘電体多層膜を用いた場合、平板状の誘電体多層膜に対して垂直（０°）に入射した光はほぼ全て反射されるが、垂直入射でない光の一部は透過する。この垂直入射でない光の外部への出射を減らすために、透光性部材５０及び反射膜４０の一部を湾曲させ、発光素子２０からの第１の光の大部分が垂直に近い入射角度とすることにより反射膜４０を透過する第１の光を減らすことができる。
【００２８】
発光装置１００は、ＣＩＥ１９３１色度図のｘｙ色度座標系において、（ｘ＝０．６４５、ｙ＝０．３３５）、（ｘ＝０．６６５、ｙ＝０．３３５）、（ｘ＝０．７３５、ｙ＝０．２６５）、（ｘ＝０．７２１、ｙ＝０．２５９）の４点を結んでできる四角形で囲まれる範囲内にある光を発する。このような構成にすることにより、所定の赤色に発光し、角度による色ずれを抑制する発光装置を提供することができる。
【００２９】
蛍光体層３０に含まれる蛍光体は、（Ｓｒ，Ｃａ）ＡｌＳｉＮ３：Ｅｕ蛍光体、ＣａＡｌＳｉＮ３：Ｅｕ蛍光体、Ｋ２ＳｉＦ６：Ｍｎ蛍光体、から選択される少なくとも１種であることが好ましい。また、その組み合わせとしてもよい。これにより、所定の赤色に発光し、角度による色ずれを抑制する発光装置を提供することができる。
【００３０】
発光装置１００は、透光性部材５０の最上面を除いて樹脂７０に覆われていれば、例えば、砲弾型、表面実装型、チップタイプ等であってもよい。一般に砲弾型とは、外面を構成する樹脂の形状を砲弾型に形成したものを指す。例えば一方にカップを有するリードフレームと、カップ内に配置される発光素子と、発光素子及びリードフレームの一部を覆う封止樹脂と、を有する。また表面実装型とは、凹状の収納部内に発光素子を載置し、発光素子を樹脂にて充填して形成されたものを示す。収容部の材質として熱可塑性樹脂、熱硬化性樹脂、セラミックス、金属等で作成したものがある。さらにチップタイプとしては、表面実装型のように凹状の収容部を持たず、発光素子に蛍光体を直接形成して発光素子の側面等を樹脂で固定したものである。チップタイプは蛍光体を含む層を平板状とできる他、レンズ形状としてもよい。
発光装置１００の発光スペクトルにおいて、第１の光の発光ピーク強度は、第２の光の発光ピーク強度の１／１０以下であることが好ましい。発光装置１００の発光スペクトルにおいて、第１の光の発光ピーク強度は、第２の光の発光ピーク強度の１／３０以上であることが好ましい。これにより発光装置１００から放出される光の大部分は第２の光であり、例えば赤色光とすることができる。
ここでは表面実装型を例にとって詳細を説明する。
【００３１】
［基台］
基台１０の固定部１３及び側壁１４は熱可塑性樹脂や熱硬化性樹脂などの樹脂や、セラミックスやガラスなどの無機物や、絶縁処理等を施した金属などを使用することができる。基台１０の固定部１３と側壁１４は別部材としても良いが、一体的に成形されることが好ましい。
表面実装型の基台１０は、絶縁性を有し、光を透過しにくいことが好ましい。基台１０の材料としては、例えば、アルミナや窒化アルミニウム等のセラミックス、フェノール樹脂、エポキシ樹脂、ポリイミド樹脂、ＢＴレジン、ポリフタルアミド等の樹脂を挙げることができる。なお、樹脂を用いる場合には、必要に応じて、ガラス繊維、酸化ケイ素、酸化チタン、アルミナ等の無機フィラーを樹脂に混合してもよい。これらの中でも、セラミックスは放熱効果が高いためより好ましい。
また、基台１０は第１リード１１と第２リード１２と固定部１３とを有している。基台１０は実装面に対して略垂直方向に光を放出するトップビュー型、実装面に対して略平行方向に光を放出するサイドビュー型が主にあるが、いずれにも本件を使用することができる。第１リード１１、第２リード１２は板状の金属で形成される。ここでは凹部１５の開口方向から見て第１リード１１、第２リード１２は固定部１３から外側に突出していないが、固定部１３から外側に突出した構成もとることができる。
【００３２】
第１リード１１、第２リード１２を構成する材料は、例えば、金属で、２００Ｗ／（ｍ・Ｋ）程度以上の熱伝導率を有しているもの、比較的大きい機械的強度を有するもの、あるいは打ち抜きプレス加工又はエッチング加工等が容易な材料が好ましい。具体的には、銅、アルミニウム、金、銀、タングステン、鉄、ニッケル等の金属又は鉄−ニッケル合金、燐青銅等の合金等が挙げられる。また、第１リード１１、第２リード１２の母材の表面に母材よりも光反射率の高い銀、アルミニウム、金などが被覆されていてもよい。
【００３３】
発光素子２０としては、例えば、発光ダイオード（ＬＥＤ）チップ又はレーザダイオード（ＬＤ）チップを用いることができ、なかでもＬＥＤチップを用いることが好ましい。発光素子２０を発光ダイオードチップとすることにより、発光素子２０からの光が広がりやすくなるため、蛍光体を効率良く励起できる。発光素子２０として、例えば、窒化物半導体を含む近紫外乃至青色発光の発光ダイオードチップを用いられる。ここで、近紫外乃至青色発光の発光ダイオードチップとは、３５５ｎｍ以上４８５ｎｍの範囲に発光ピーク波長を有するものを指す。特に近紫外乃至青色発光の発光ダイオードチップは、３５５ｎｍ以上４５５ｎｍ未満に発光ピーク波長を持つものや、４５５ｎｍ以上４８５ｎｍ以下に発光ピーク波長を持つものも使用することができる。発光素子２０は半導体積層体２１と基板２２とを有する。半導体積層体２１は基板上に積層されたものでもよく、成長基板とは異なる基板に半導体積層体２１を貼り付けたものでもよい。４００ｎｍより短波長の近紫外は視認することが難しいため、発光装置から光が漏れても色調にはほとんど影響されない。ただし、第２の光の光量を増大させるためには第１の光が反射膜４０から透過するのを抑えることが好ましい。
【００３４】
ここでいう窒化物半導体は、一般式：ＩｎＸＡｌＹＧａ１−Ｘ−ＹＮ（０≦Ｘ、０≦Ｙ、Ｘ＋Ｙ≦１）で表される半導体であり、半導体層の組成やその混晶度によって発光波長を種々選択することができる。窒化物半導体を用いた発光素子２０は、例えば、サファイア等の窒化物半導体の成長が可能な基板２２と該基板２２の上に設けられた半導体積層体２１とを含む。
【００３５】
発光素子２０において、半導体積層体２１には第１半導体層２１ａ、活性層２１ｂ、第２半導体層２１ｃが設けられている。第１半導体層２１ａと第２半導体層２１ｃとは極性が異なる。例えば、第１半導体層２１ａにｐ型半導体層、第２半導体層２１ｃにｎ型半導体層を用い、ｐ型半導体層にはｐ電極が接続されており、ｎ型半導体層にはｎ電極が接続されている。ｐ電極及びｎ電極は発光素子２０の同じ側の面に形成されており、第１リード１１、第２リード１２にフリップチップ実装されていることが好ましい。これにより、発光素子２０の上面が平坦な面となり、発光素子２０の上方に蛍光体層３０を近接して配置することができる。なお、発光素子２０は基板２２を有するが、基板２２は実装時又は実装後に除去され、半導体積層体２１上に蛍光体層３０が直接若しくは接着剤層６０を介して接合されてもよい。
【００３６】
[蛍光体層]
蛍光体層３０は、発光素子２０からの第１の光を吸収して異なる波長の光を発生する。蛍光体層３０は、例えば、蛍光体粒子を含む透光性樹脂ペーストを、透光性部材の表面に反射膜４０を介して印刷することにより形成される。蛍光体層３０は、１又は２以上の層により構成してもよい。蛍光体層３０は、必要に応じて拡散剤を含んでいても良い。
【００３７】
ここでは、３５５ｎｍ以上４８５ｎｍ以下に発光ピーク波長を持つ発光素子２０からの光を吸収し、５５０ｎｍ以上７８０ｎｍ以下に発光ピーク波長を持つ蛍光体を少なくとも１種、またはその組み合わせを使用する。ここで、蛍光体の発光色として、主に赤色を発光する。蛍光体は５５０ｎｍ以上７８０ｎｍ以下に発光ピーク波長を持つに過ぎず、５５０ｎｍ以上７８０ｎｍ以下に発光スペクトルを持つものに限定されない。特に６１０ｎｍ以上６８０ｎｍ以下に発光ピーク波長を持つものが好ましく、６１０ｎｍ以上６５０ｎｍ以下に発光ピーク波長を持つものが更に好ましい。視感度は約５５５ｎｍをピークに５５５ｎｍより長波長側にいくに従って視感度が低下するため、赤色領域のうち比較的視感度の高い６１０ｎｍ以上６５０ｎｍに発光ピーク波長を持つ蛍光体を使用することが輝度向上に好ましいからである。
【００３８】
蛍光体の平均粒径は、特に制限されず、目的等に応じて適宜選択することができる。蛍光体の平均粒径は、発光効率の観点から、１μｍ以上２０μｍ以下であることが好ましく、５μｍ以上１５μｍ以下であることがより好ましい。
樹脂中に含有される蛍光体粒子全体の体積が同じである場合、粒径が小さくなると粒子表面積が増え、蛍光体粒子が発光した光が他の蛍光体粒子によって散乱されやすくなり、光取り出し効率が低下する。一方、粒径が大きくなると散乱は少なくなって光の取り出し効率は高くなるが、粒子表面積が小さくなり、蛍光体が発光する光の量が少なくなって波長変換されない光の量が増える。波長変換されずに蛍光体層３０に到達した光は反射膜４０によって再度蛍光体層３０側へ戻されるため、蛍光体粒子の粒径を大きくすることによって、粒子表面での散乱を抑制しつつ発光素子２０からの第１の光を効率よく波長変換を行うことができる。したがって、発光装置１００では、蛍光体粒子の粒径を大きくすることによって、発光素子２０の第１の光を効率よく波長変換を行うことができ、かつ光取り出し効率を向上させることができる。
【００３９】
なお、本明細書でいう蛍光体粒子の平均粒径は、一次粒子が凝集して形成された二次粒子の平均粒径のことをいうものとする。二次粒子の平均粒径（メジアン径）は、例えばレーザー回折式粒度分布測定装置（MALVERN（マルバーン）社製、製品名：MASTER SIZER（マスターサイザー）3000）により測定することができる。
【００４０】
蛍光体層３０の厚さは３０μｍ〜１５０μｍが好ましく、５０μｍ〜１２０μｍがより好ましい。これにより蛍光体層３０内の散乱で失われる第２の光の量を減らし、蛍光体層３０から出射される第２の光の量を増やすことができる。
【００４１】
蛍光体として、窒化物蛍光体や酸化物蛍光体、フッ化物蛍光体、硫化物蛍光体などを使用することができる。
窒化物系蛍光体は、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｌｕからなる群から選ばれる少なくとも１種以上の希土類元素により賦活される、Ｂｅ、Ｍｇ、Ｃａ、Ｓｒ、Ｂａ、Ｚｎからなる群から選ばれる少なくとも１種以上の第ＩＩ族元素と、Ｃ、Ｓｉ、Ｇｅ、Ｓｎ、Ｔｉ、Ｚｒ、Ｈｆからなる群から選ばれる少なくとも１種以上の第ＩＶ族元素と、Ｎと、を含む蛍光体である。この窒化物蛍光体の組成中に、Ｏが含まれていてもよい。
【００４２】
窒化物系蛍光体の具体例としては、一般式、ＬＸＭＹＮ（（２／３）Ｘ＋（４／３）Ｙ）：Ｒ若しくはＬＸＭＹＯＺＮ（（２／３）Ｘ＋（４／３）Ｙ−（２／３）Ｚ）：Ｒ（Ｌは、Ｂｅ、Ｍｇ、Ｃａ、Ｓｒ、Ｂａ、Ｚｎからなる群から選ばれる少なくとも１種以上の第ＩＩ族元素である。Ｍは、Ｃ、Ｓｉ、Ｇｅ、Ｓｎ、Ｔｉ、Ｚｒ、Ｈｆからなる群から選ばれる少なくとも１種以上の第ＩＶ族元素である。Ｒは、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｌｕからなる群から選ばれる少なくとも１種以上の希土類元素である。Ｘ、Ｙ、Ｚは、０．５≦Ｘ≦３、１．５≦Ｙ≦８、０＜Ｚ≦３である。）で表されるものを挙げることができる。
【００４３】
窒化物系蛍光体のより具体的な例としては、（Ｓｒ，Ｃａ）ＡｌＳｉＮ３：Ｅｕに代表されるＳＣＡＳＮ系の蛍光体及びＣａＡｌＳｉＮ３：Ｅｕに代表されるＣＡＳＮ系の蛍光体を挙げることができる。
また、窒化物系蛍光体以外では、Ｋ２ＳｉＦ６：Ｍｎに代表されるＫＳＦ系蛍光体、硫化物系蛍光体などを用いることができる。
【００４４】
以上では、蛍光体粒子を含む透光性樹脂ペーストを印刷することにより蛍光体層３０を形成する例を示した。しかしながら、蛍光体層３０は、蛍光体を含むように、ガラス、無機物等の透光性材料を成膜することにより形成するようにしてもよい。また、蛍光体層３０が反射膜４０の表面に直接接している形態を示しているが、蛍光体層３０は必ずしも反射膜４０の表面に直接接している必要はなく、接着剤等の他の部材を介して接合されていてもよい。例えば、板状の蛍光体板を、圧着、融着、焼結、有機系接着剤による接着、低融点ガラス等の無機系接着剤による接着することにより形成するようにしてもよい。
【００４５】
[反射膜]
反射膜４０としては、選択性が高い誘電体多層膜を用いることが好ましい。ここで、選択性が高いとは、反射波長帯域における反射率が高く、透過波長帯域における透過率が高く、かつ反射波長帯域と透過波長帯域間において反射率又は透過率の変化が急峻であることをいう。
【００４６】
誘電体多層膜は、屈折率の異なる２つの第１誘電体層４１と第２誘電体層４２とを、それぞれλ／４の膜厚で交互に周期的に形成した反射膜である。ここで、λは、反射させたい波長領域のピーク波長であり、各誘電体材料における媒質内波長である。この誘電体多層膜は、理論的には、２つの第１誘電体層４１と第２誘電体層４２の屈折率差が大きいほど、また、交互に形成する周期数が多いほど高い反射率が得られることが知られている。しかしながら、２つの第１誘電体層４１と第２誘電体層４２の屈折率差が大き過ぎたり、周期数が大き過ぎると、反射ピーク波長λの両側で反射率が急激に減少したり（波長依存性が急峻になる）、反射率の波長依存性が大きくなったりして、所望の波長範囲で所望の反射率を安定して得ることが難しくなる。そこで、誘電体多層膜では、屈折率の高い誘電体材料からなる第１誘電体層４１と屈折率の低い誘電体材料からなる第２誘電体層４２の各屈折率及び屈折率差、交互に形成する周期数は、所望の波長範囲で所望の反射率が安定して得られるように、適宜設定される。
【００４７】
具体的には、屈折率の高い第１誘電体層４１の第１屈折率は、例えば、１．５〜３．０の範囲に設定され、好ましくは、２．０〜２．６の範囲に設定される。また、屈折率の低い第２誘電体層４２の第２屈折率は、例えば、１．０〜１．８の範囲に設定され、好ましくは、１．２〜１．６の範囲に設定される。さらに、第１誘電体層４１と第２誘電体層４２とを交互に形成する周期数は、例えば、１〜２０の範囲に設定され、好ましくは、１〜５の範囲に設定される。第１屈折率と第２屈折率との差は０．３以上が好ましく０．５以上がより好ましく、０．７以上がさらに好ましい。
第１誘電体層４１を構成する誘電体材料は、例えば、ＴｉＯ２、Ｎｂ２Ｏ５、Ｔａ２Ｏ５及びＺｒ２Ｏ５から選択することができる。第２誘電体層４２を構成する誘電体材料は、例えば、ＳｉＯ２、Ａｌ２Ｏ３及びＳｉＯＮから選択された材料により構成することができる。
【００４８】
[透光性部材]
透光性部材５０は、一方の面に反射膜４０と蛍光体層３０とが設けられ、その反射膜４０及び蛍光体層３０を支持する。透光性部材５０には、ガラスや樹脂のような透光性材料からなる板状体を用いることができる。ガラスとして、例えば、ホウ珪酸ガラスや石英ガラスから選択することができる。また、樹脂として、例えば、シリコーン樹脂やエポキシ樹脂から選択することができる。透光性部材５０の厚さは、製造工程における機械的強度が低下せず、蛍光体層３０に十分な機械強度を付与することができる厚さであればよい。また、透光性部材５０には、拡散剤を含有させてもよい。拡散剤には、酸化チタン、チタン酸バリウム、酸化アルミニウム、酸化ケイ素等を用いることができる。また、発光面となる透光性部材５０の上面、つまり反射膜４０と蛍光体層３０とが設けられた面の反対の面は、平坦な面に限定されず、微細な凹凸を有していてもよい。発光面に凹凸を有していると、発光面からの出射光が散乱されて輝度むらや色むらを抑制することが可能となる。
【００４９】
[接着剤層]
接着剤層６０は、発光素子２０と蛍光体層３０とを接着する。接着剤層６０は、発光素子２０からの出射光を極力減衰させることなく蛍光体層３０へと導光できる材料が好ましい。具体例としてはエポキシ樹脂、シリコーン樹脂、フェノール樹脂、およびポリイミド樹脂等の有機樹脂を挙げることができるが、シリコーン樹脂が好ましい。接着剤層６０の厚さは、薄ければ薄いほど好ましい。接着剤層が薄いと、接着剤層を透過する光の損失を少なくでき、かつ放熱性を向上させることができ、発光装置から出射される光の強度を高くできるからである。
【００５０】
接着剤層６０は、発光素子２０と蛍光体層３０の間のみならず、発光素子２０の側面にも存在してもよい。また、蛍光体層３０のバインダーにシリコーン樹脂を用いる場合には、接着剤層６０の接着剤にもシリコーン樹脂を用いることが好ましい。蛍光体層３０と接着剤層６０の屈折率差を小さくすることができるので、接着剤層６０から蛍光体層３０への入射光を増加させることが可能となる。
【００５１】
［樹脂］
樹脂７０の材料としては、絶縁材料を用いることが好ましい。ある程度の強度を確保するために、例えば熱硬化性樹脂、熱可塑性樹脂等を用いることができる。より具体的には、フェノール樹脂、エポキシ樹脂、ＢＴレジンや、ＰＰＡやシリコーン樹脂などが挙げられる。また、これらの母体となる樹脂に、発光素子２０からの光を吸収しにくく、かつ母体となる樹脂に対する屈折率差の大きい反射部材を用いることができる。具体的には、酸化ジルコニウム、酸化イットリウム、酸化アルミニウム、水酸化アルミニウム、炭酸バリウム、硫酸バリウム、酸化マグネシウム及び炭酸マグネシウムからなる群から選択される光拡散材を少なくとも一種を分散することで、効率よく光を反射させることができる。
【００５２】
[反射率]
図３は、実施例１に係る発光装置における、光が垂直入射（入射角０°）した場合の、反射膜の波長に対する反射率を示す図である。図３はシミュレーションである。図４及び図５は、反射膜に対する発光素子が発する第１の光の入射角における反射率を示す図である。図４は図５の一部抜粋である。
反射膜４０は、各波長に応じて反射率が異なる。例えば、波長が３６０ｎｍの光に対して、入射角Ａが０°〜２０において反射率が低い部分を持ち、入射角Ａが２０°〜５０°において反射率が１００％近くであり、入射角Ａが５０°〜８０°において反射率が５０％近くまで低くなる。
また、波長が４００ｎｍの光に対して、入射角Ａが０°〜５０°において反射率が１００％近くであり、入射角Ａが５０°〜８０°において反射率が５０％近くまで低くなる。
また、波長が４２０ｎｍの光に対して、入射角Ａが０°〜４０°において反射率が１００％近くであり、入射角Ａが４０°〜８０°において反射率が５０％近くまで低くなる。
さらに、波長が４５０ｎｍの光に対して、入射角Ａが０°〜４０°において反射率が１００％近くであり、入射角Ａが４０°〜７０°において反射率が５０％近くまで低くなり、入射角Ａが７０°〜８５°において反射率が１０％近くまで低くなる。
【００５３】
そのため、使用する発光素子２０の発光ピーク波長を選定することにより、反射膜４０が設けられた透光性部材５０の第１面を広くすることができ、平面視において大きな形状の発光素子２０を使用することができる。つまり、発光ピーク波長が４６０ｎｍである発光素子２０を用いた場合、透光性部材５０の第１面を入射角が４０°の範囲内で収める必要があるが、発光ピーク波長が４００ｎｍである発光素子２０を用いた場合、透光性部材５０の第１面を入射角が５０°の範囲内まで拡げることができる。
以上のことから、使用する発光素子２０と反射膜４０の材質等を適宜変更することにより、発光素子２０からの第１の光を効率的に蛍光体層３０に照射させることができる。
【００５４】
［製造方法］
実施形態１の発光装置の製造方法について説明する。
第１面と、湾曲し第１面と繋がる第２面と、を内面に備えるカップ形状の透光性部材５０を準備する。透光性部材５０は個片化されていてもよいが連結部材等を介して連続していてもよい。
透光性部材５０のカップ形状の内面に、異なる屈折率を有する誘電体層を交互に含む誘電体多層膜である反射層４０を形成する。誘電体層は例えば酸化ニオブと酸化珪素を交互に複数積層する。積層数に応じて反射率を変えることができる。
【００５５】
反射層４０上に、蛍光体層３０を形成する。蛍光体層３０の形成はポッティングや噴霧、印刷などの手段を用いることができる。蛍光体層３０は一層のみでなく二層以上の複数層設けることもできる。また蛍光体層３０は１種類の蛍光体のみでなく２種類以上の蛍光体を用いることもできる。蛍光体層の膜厚は特に限定されないが、３０μｍ〜１５０μｍが好ましく、特に５０μｍ〜１２０μｍが好ましい。
発光素子２０の発光面が、透光性部材５０のカップ形状の内面である第１面と対向するように、蛍光体層３０を発光素子２０上に配置する。例えば、カップ形状の透光性部材５０の開口方向を上面に向け、そのカップ内に接着剤層６０を満たし、基台１０に配置された発光素子２０を浸漬する。これにより発光素子２０の上面及び側面に接着剤層６０を設けることができる。ただし、予め基台１０に発光素子２０を配置せず、発光素子２０のみカップ形状内に配置し、接着剤層６０を硬化させた後、透光性部材５０で覆われた発光素子２０を基台１０上に接合することもできる。一方、発光素子２０上に液状の接着剤層６０を塗布し、発光素子２０上に透光性部材５０で蓋をするように接合することもできる。出来上の接着剤層６０は発光素子２０の側面にも流れだし、発光素子２０の側面を覆うことができる。なお、発光素子２０は予め金や銅などの導電部材で基台１０に配置されているものを使用することが好ましい。
基台１０の凹部１５内に、反射性部材が含有された樹脂７０を滴下し、透光性部材５０の第２面に相当する箇所の外面に樹脂７０を配置する。これにより発光面積を小さくし、輝度を高くすることができる。
以上のようにして実施形態１の発光装置１００を製造することができる。
【００５６】
＜実施形態２＞
実施形態２に係る発光装置について、図面を用いて説明する。図６は、実施形態２に係る発光装置の一例を示す概略断面図である。実施形態２は蛍光体層、反射膜、透光性部材の配置の順番、及び基台の形態、接着剤層の形態が実施形態１と異なる以外はほぼ同じである。実施形態１と重複する箇所については説明を省略することもある。
【００５７】
発光装置２００は、基台１１０と、基台１１０に配置される発光素子１２０と、発光素子１２０上に配置される蛍光体層１３０と、蛍光体層１３０上に設けられる透光性部材１５０と、透光性部材１５０上に設けられる反射膜１４０と、を備える。基台１１０は、第１リード１１１、第２リード１１２、第１リード１１１と第２リード１１２との間に配置される固定部１１３を有している。基台１１０は平板状である。発光素子１２０は、半導体積層体１２１には第１半導体層１２１ａ、活性層１２１ｂ、第２半導体層１２１ｃが基板１２２に設けられている。透光性部材１５０は発光素子１２０の発光面と対向する第１面と、発光素子側に湾曲し第１面と繋がる第２面と、を備える。透光性部材１５０の第１面は平坦であり、カップ形状を成している。透光性部材１５０のカップ形状の内面には蛍光体層１３０が設けられており、透光性部材１５０のカップ形状の外面には反射膜１４０が設けられている。透光性部材１５０の第１面及び第２面と平行な部分を蛍光体層１３０、反射膜１４０とも有している。また、蛍光体層１３０と、透光性部材１５０と、反射膜１４０とは、相似形であることが好ましい。透光性部材１５０の一面に蛍光体層１３０が設けられ、他の一面に反射膜１４０を設けることにより、透光性部材１５０と蛍光体層１３０との密着性、透光性部材１５０と反射膜１４０との密着性を上げることができたり、製造し易くしたりすることができる。
【００５８】
発光装置２００は、第１面と、湾曲し第１面と繋がる第２面と、を内面に備えるカップ形状の透光性部材１５０を準備する。
透光性部材１５０のカップ形状の外面に、異なる屈折率を有する誘電体層を交互に含む誘電体多層膜である反射層１４０を形成する。また、透光性部材１５０のカップ形状の内面に、蛍光体層１３０を形成する。この反射膜１４０を形成する工程と、蛍光体層１３０を形成する工程は逆の順番であってもよく、同時であってもよい。
【００５９】
発光素子１２０の発光面が、透光性部材１５０のカップ形状の内面である第１面と対向するように、透光性部材１５０を発光素子１２０上に配置する。発光素子１２０は予め平板状の基台１１０に配置しておく。接着剤層１６０は発光素子１２０の上面に塗布し、カップ形状の透光性部材１５０を被せる。透光性部材１５０自身の重みにより発光素子１２０の発光面と透光性部材１５０の第１面とが平行になるように形成することができる。
以上により、発光装置２００を簡易に製造することができる。
＜実施形態３＞
【００６０】
実施形態３に係る発光装置について、図面を用いて説明する。図７は、実施形態３に係る発光装置の一例を示す概略断面図である。図８は、（Ｓｒ，Ｃａ）ＡｌＳｉＮ３：Ｅｕ蛍光体と、ＣａＡｌＳｉＮ３：Ｅｕ蛍光体の粉体反射率を示すスペクトル図である。実施形態３は蛍光体層の形態が実施形態２と異なる以外はほぼ同じである。実施形態２と重複する箇所については説明を省略することもある。
【００６１】
発光装置３００は、基台１１０と、基台１１０に配置される発光素子１２０と、発光素子１２０上に配置される蛍光体層２３０と、蛍光体層２３０上に設けられる透光性部材１５０と、透光性部材１５０上に設けられる反射膜１４０と、を備える。蛍光体層２３０は発光素子１２０に近い側にＣａＡｌＳｉＮ３：Ｅｕ蛍光体層２３１、遠い側に（Ｓｒ，Ｃａ）ＡｌＳｉＮ３：Ｅｕ蛍光体層２３２を配置している。この順番に配置することにより、ＣａＡｌＳｉＮ３：Ｅｕ蛍光体と（Ｓｒ，Ｃａ）ＡｌＳｉＮ３：Ｅｕ蛍光体とを分散させたものに比べ、発光効率を高め、明るい発光装置を提供することができる。これは例えば４４０ｎｍ〜４８０ｎｍの発光素子１２０の発光波長付近において、ＣａＡｌＳｉＮ３：Ｅｕ蛍光体の方が（Ｓｒ，Ｃａ）ＡｌＳｉＮ３：Ｅｕ蛍光体よりも反射率が高いため、ＣａＡｌＳｉＮ３：Ｅｕ蛍光体層２３１と（Ｓｒ，Ｃａ）ＡｌＳｉＮ３：Ｅｕ蛍光体層２３２との界面で反射された発光素子１２０からの青色光を再びＣａＡｌＳｉＮ３：Ｅｕ蛍光体層２３１に戻すことができ、ＣａＡｌＳｉＮ３：Ｅｕ蛍光体の発光を増幅させているからと思われる。発光素子１２０の発光波長付近においてＣａＡｌＳｉＮ３：Ｅｕ蛍光体よりも反射率が低く光吸収の高い（Ｓｒ，Ｃａ）ＡｌＳｉＮ３：Ｅｕ蛍光体を上層に配置することで（Ｓｒ，Ｃａ）ＡｌＳｉＮ３：Ｅｕ蛍光体層を透過してしまう青色光を減らすことができる。
【００６２】
発光装置３００は、第１面と、湾曲し第１面と繋がる第２面と、を内面に備えるカップ形状の透光性部材１５０を準備する。
透光性部材１５０のカップ形状の外面に、異なる屈折率を有する誘電体層を交互に含む誘電体多層膜である反射層１４０を形成する。また、透光性部材１５０のカップ形状の内面に、（Ｓｒ，Ｃａ）ＡｌＳｉＮ３：Ｅｕ蛍光体層２３２、ＣａＡｌＳｉＮ３：Ｅｕ蛍光体層２３１の順番に蛍光体層２３０を形成する。この反射膜１４０を形成する工程と、蛍光体層２３０を形成する工程は逆の順番であってもよく、同時であってもよい。ＣａＡｌＳｉＮ３：Ｅｕ蛍光体層２３１と（Ｓｒ，Ｃａ）ＡｌＳｉＮ３：Ｅｕ蛍光体層２３２との膜厚は約１００μｍである。
【００６３】
発光素子１２０の発光面が、透光性部材１５０のカップ形状の内面である第１面と対向するように、透光性部材１５０を発光素子１２０上に配置する。発光素子１２０は予め平板状の基台１１０に配置しておく。接着剤層１６０は発光素子１２０の上面に塗布し、カップ形状の透光性部材１５０を被せる。透光性部材１５０自身の重みにより発光素子１２０の発光面と透光性部材１５０の第１面とが平行になるように形成することができる。
以上により、発光装置３００を簡易に製造することができる。
【産業上の利用可能性】
【００６４】
本実施形態の発光装置は、一般照明、車載照明、観賞用照明、警告灯、表示灯等の幅広い分野で用いることができる。例えば、近紫外乃至青色光を発光する発光ダイオードと組み合わせて、車のリアランプやブレーキランプ等に用いられる発光装置を構成する場合には、例えば、窒化物系蛍光体を用いることができる。
【符号の説明】
【００６５】
１０  基台
１１  第１リード
１２  第２リード
１３  固定部
１４  側壁
１５  凹部
１６  内底面
１７  内側面
２０  発光素子
２１  半導体積層体
２１ａ  第１半導体層
２１ｂ  活性層
２１ｃ  第２半導体層
２２  基板
２３  発光面
３０  蛍光体層
４０  反射膜
４１  第１誘電体層
４２  第２誘電体層
５０  透光性部材
６０  接着剤層
７０  樹脂
１００  発光装置
Ａ  入射角
【図１】
2018107417.tif 000003
【図２】
2018107417.tif 000004
【図３】
2018107417.tif 000005
【図４】
2018107417.tif 000006
【図５】
2018107417.tif 000007
【図６】
2018107417.tif 000008
【図７】
2018107417.tif 000009
【図８】
2018107417.tif 000010